(57)【特許請求の範囲】
【請求項１】
戸外で使用するコンピュータ、測定機器、制御ユニット、写真用機器などの比較的軽量の物品を、使用者の身体の前部で支持するのに使用される運搬用鉤状器具であって、該鉤状部分が使用者の腹部から胸部に亘って上方に向かって延在し、運搬される物品を固定するのに使用される前部（３）を有し、該前部は、胸部の上方であって首（４）の近傍で、肩を通って湾曲して頭の後側で下方に延在する後部（５）と一体化する器具において、前記前部（３）が胸部の中心に配され、上方に延びて首から所定の距離だけ離れた位置で一方の肩を通り、そこから、鉤状器具（１）の前記後部（５）が肩甲骨の上を肩甲骨と接触しながら下部に延在することを可能にする距離だけ、頭部の後側へと下に向かって湾曲し、前記後部（５）は、鉤状器具（１）に担われる重量を、身体の形状に関わらず、両肩甲骨に分散するために解剖学的に成形されたショルダープレート（６）を有しており、前記鉤状器具に取り付けられた機器と該鉤状器具の全重量が使用者の両肩甲骨を介して支持されることを特徴とする運搬用鉤状器具。
【請求項２】
前記ショルダープレート（６）が、可撓性を有して、または関節を用いて前記後部（５）に取り付けられていることを特徴とする、請求項１に記載の運搬用鉤状器具。
【請求項３】
前記ショルダープレート（６）がゴム製の管継手または蝶番（７）によって前記後部（５）に取り付けられることを特徴とする、請求項２に記載の運搬用鉤状器具。
【請求項４】
前記ショルダープレート（６）が鉤状器具（１）の前部（３）と調節可能に接続されており、前記ショルダープレート（６）と鉤状器具（１）との距離が可変であることを特徴とする請求項２に記載の運搬用鉤状器具。
【請求項５】
前記ショルダープレート（６）の鉤状器具（１）の背面への関節を用いた接続部は、鉤状部材（１）の横方向の安定性を増加させるために、２つの取り付け点（８，９）、または横断方向の継手（１２）を有していることを特徴とする、請求項２に記載の運搬用鉤状器具。
【請求項６】
前記前部（３）が、腹部に対する圧力を分散させると共に機器（１４）を支持するのに使用される腹部プレート（１３）を有していることを特徴とする、請求項１に記載の運搬用鉤状器具。
【請求項７】
前部（３）の前記腹部プレート（１３）が、スライドレールまたは管（１９）によって、運搬者の様々な背丈に合わせられるように垂直方向に調節可能であることを特徴とする、請求項６に記載の運搬用鉤状器具。
【請求項８】
運搬される機器（１４）が調節可能な玉継手（１７）および／または支持アーム（１８）を介して腹部プレート（１３）によって支持されることを特徴とする、請求項６に記載の運搬用鉤状器具。
【発明の詳細な説明】
【０００１】
本発明は、戸外で使用するコンピュータ、測定機器、制御装置、写真用機器などの比較的軽量の物品を使用者の身体の前部に支持するのに使用されるキャリアホルダーまたは鉤状器具に関する。この鉤状器具は、使用者の腹部から胸部に縦方向に延びて運搬される物品を固定するのに使用される前部と、胸部の上方であって首に近接する位置で前記前部と一体化し、肩の上で湾曲して頭部の後側に下がる後部とを有してなる。
【０００２】
本発明の目的は、比較的軽量の物品を、身体の前部で、簡単且つ融通の利く方法で運搬することのできるような設計の運搬鉤を提供することである。その人体を考慮した、即ち解剖学的形状故に、本発明の運搬鉤は人間工学的に非常に優れた運搬機能を示すばかりではなく、安定化ベルトがなくても優れた安定性を有している。現在、市販されており同じ機能で使用されている製品は、全て、ベルト、ハーネスまたはベストを有しており、さらに鉤部材によって運搬者の首部で支えられている。これらの鉤状器具の欠点は、鉤部材の助けを借りて運搬される物品の重量で、首部が痛くなることである。さらに、これら従来の器具によっては、運搬される物品を使用者の前部に正確に配置することが困難であることがわかっている。加えて、このような器具は取り付けが大変である。
【０００３】
したがって、本発明の目的は、従来技術の、上記の型の運搬鉤部材を有する運搬器具に特徴的な欠点を除去することである。鉤状器具はその目的を十分に達成すると同時に、安価で製造が容易でなくてはならない。本発明の特徴は明細書に続く特許請求の範囲に記載されている。
【０００４】
本発明によって、取り付け・取り外しが容易であると共に、身体形状に合うその形状によって、胸部または腹部と接触する物品の重量の大部分が肩甲骨によって吸収されるようになっている運搬用鉤状器具が提供された。このような構造によって、荷重に対してより著しく敏感である身体の柔らかい部分に荷重がかかるのを避けることができる。可撓性を有して、および／または関節を用いて接続された解剖学的に成形されたショルダープレートによって、運搬する人の体形に関係なく、物品の重量を両方の肩甲骨に等しく分散することができる。さらに、鉤状器具にショルダープレートを取り付けることによって、非常に大きな人が使用する場合でも運搬用鉤状器具がよりよく適合するように、調節することができる。鉤状器具のこの解剖学的な形状によって、当該器具は女性にも都合よく使用することができる。様々な背丈に鉤状器具を合わせるためにスライドレールによって鉤状器具の長さを調節することができる。また、その長さ方向に沿って、鉤状器具に長手方向の突起および横断方向の突起を設けることによって、鉤部のねじり強度を増加させることができる。
【０００５】
運搬される物品は、前部の鉤状器具の低い部位に、直接、または腹部プレートを介して、適切な方法で、例えば、留め金、バックル、玉継手などを使用して固定することができる。物品は、調節可能な玉継手と運搬者の腕との間の最も都合のよい位置に載置することができるので、人間工学にかなった作業位置を得ることができる。織材、フェルト、ゴム、発泡性プラスチック、または他の適切な材料でプレートを覆うことによって、該プレートに接触する身体部分に対する摩擦を増加させると共にプレートの当たりを非常に柔らかくする。
【０００６】
運搬用鉤状器具は、真空成形されたプラスチックもしくは射出成形されたプラスチック、或いはプレス加工されたアルミニウムシートもしくは鋼鉄シートで製造されるのが好ましい。複数のプラスチック材料の射出成形中に、深度方向に可撓性を有するように横断方向のリブを配することによって、様々な解剖学的身体形状に最大限に適合するようにすることもできる。
【０００７】
本発明の好適な態様の幾つかを、図面を参照しながら以下に記載する。
【０００８】
図１により詳細に示されているように、同図は本発明による鉤状器具１の第一の態様を示している。この鉤状器具は、真空成形プラスチックもしくは射出成形プラスチック、またはプレス加工アルミニウムもしくは鋼鉄シートで製造されている。ねじり強度を増加させるために、鉤状器具は縦方向の隆起部または稜線２を有している。鉤状器具１は、また、腹部から胸部に亘って縦方向に延在し、さらに上方に延びている、運搬される物品を支持する前部を中央に有している。前部３は首４の手前で上方に湾曲して胸部の上から肩に上り、首から所定の位置で湾曲して下に向かい、そして、運搬者の頭部の後側で、鉤状器具の後部５が肩甲骨の上を肩甲骨と接触しながら延在するのを可能にする距離だけ湾曲し続ける。このようにして、運搬される機器も含めた鉤状器具の全重量が肩甲骨にかかるように支持され、身体の敏感な柔らかい部分に圧力がかかることがない。
【０００９】
図５及び６により詳細に示されている態様によると、鉤状器具１の後部５は、運搬者の体形に関係なく両肩甲骨が重量を吸収するような方法で、鉤状器具１の荷重を分散させるように解剖学的に形成されたショルダープレート６を有している。ショルダープレート６と鉤状器具１の後部５との連結部は調節することができるので、ショルダープレート６と鉤状器具１との間の距離を変えることができる。
【００１０】
ショルダープレートは、可撓性を有して、または関節を用いて、後部５に取り付けることができる。このような可撓性を持たせるためには、ゴム製の管継手、玉継手、水平方向に取り付けられた１以上のクリップ、または蝶番７を使用することができる。図５及び６はショルダープレート６と鉤状器具の後部５との連結部を示している。図５に示されている態様では、ショルダープレート６は２つの点８および９において後部５に取り付けられており、これら２つの点はゴム製の管継手１０および１１を有している。図６に示されている態様では、ショルダープレート６は水平方向に固定されたクリップ１２によって取り付けられており、鉤状器具１の横方向の安定性が向上している。さらに、また別の態様によると、後部５は運搬者の肩部に対して鉤状器具１を支持して安定化させる中細りの部分を有していてもよい。
【００１１】
前記可撓性とその前部での調節可能な接続部とによって、鉤状器具１は様々な体形に合わせることができる。鉤状器具１の前部３は磁石板１３を有しており、その目的は、機器１４を運搬することである。図７に示されている例では、運搬される機器は戸外で使用するコンピュータ１５である。磁石板１３は、支持アーム１８を有する支持板１６を介し、玉継手１７によって腹部プレート１３に対して調節することができる。このような構造によって、コンピュータ１５の使用を容易にする人間工学にかなった作業位置を確保することができる。鉤状器具１の長さは、締め付けネジまたは弾力性のある締め付けピン２１を有する搭載具２０を介してスライドレール１９によって調節することができる。搭載具２０は鉤状器具１の前部３、または、図８に示されるように、腹部プレート１３の上部２２にしっかりと固定されている。このような構造によって、コンピュータ１５を単に垂直方向に調節するだけで、様々な背丈（back-dimensions）に対応することができる。本発明による鉤状器具１は、腹部プレートに取り付けられる調節可能なウェストベルトによってさらに安定化することができる。
【図面の簡単な説明】
【図１】  図１は、本発明による運搬用鉤状器具の第一の態様を示している。示されているのは、胸の前部に運搬する物品を載置する前の状態である。
【図２】  図２は、本発明の別の態様の正面図である。この態様の器具は運搬する物品を支持し、スライドレールによって高さ方向の位置を調節することのできる腹部プレートを有している。
【図３】  図３は、図２に示されている態様の側面図である。
【図４】  図４は、図２および図３に示されている鉤状器具を背後から見た状態を示しており、点線で示されている運搬者に取り付けられている。
【図５】  図５は、運搬用鉤状器具の後部に取り付けられる、解剖学的に形成されたショルダープレートの第一の態様を示している。
【図６】  図６は、図５に示されているショルダープレートの別の態様を示している。
【図７】  図７は、運搬者に取り付けられた、本発明による運搬用鉤状器具の側面図である。この例においては、鉤状器具は腹部プレートを介して戸外で使用するコンピュータを支持している。
【図１】
0004515686.tif 000002
【図２】
0004515686.tif 000003
【図３】
0004515686.tif 000004
【図４】
0004515686.tif 000005
【図５】
0004515686.tif 000006
【図６】
0004515686.tif 000007
【図７】
0004515686.tif 000008
【図８】
0004515686.tif 000009